(57)【要約】【課題】本発明の課題は、画像記録装置に記録される画像ファイルを複数の記録装置でシェアする際に、容易に所望する画像ファイルを他の記録装置とシェアすると共に、複数の記録装置において整合性の取れた画像データをシェア可能にする。【解決手段】画像ＤＢ１７ａに格納される画像データと、テキストＤＢ１７ｂに格納される画像データに関する情報とを、画像ファイル管理テーブル１７１により対応付けて管理することにより、画像ファイルをシェアする指示が入力された場合に、画像ＤＢ１７ａから選択された画像データを取得すると共に、画像ファイル管理テーブル１７１を参照して、テキストＤＢ１７ｂから画像データに関する情報を取得して、画像データと、画像データに関する情報とを対応付けて、画像ファイルとして他の記録装置に記録させ、画像ファイルのシェアを行う。【選択図】　　　図１
2004015308.tif 000002
【特許請求の範囲】
【請求項１】
画像データ及び画像データに関する情報を対応付けて記録する第１の記録手段と、
前記第１の記録手段に記録された画像データを選択して、第２の記録手段に記録させる指示を入力するための入力手段と、
前記入力手段により、第１の記録手段に記録されている画像データを第２の記録手段に記録させる指示が入力された場合に、当該画像データに対応付けられている画像データに関する情報を前記画像データとともに第２の記録手段に記録させる記録制御手段と、
を備えることを特徴とする画像記録装置。
【請求項２】
前記記録制御手段は、前記入力手段により入力された記録の指示が移動の指示であった場合、前記選択された画像データ及び画像データに関する情報を第１の記録手段から消去することを特徴とする請求項１記載の画像記録装置。
【請求項３】
前記記録制御手段は、前記入力手段により入力された記録の指示がコピーの指示であった場合、前記選択された画像データ及び画像データに関する情報を第１の記録手段から消去させないことを特徴とする請求項１記載の画像記録装置。
【請求項４】
前記入力手段は、ドラッグ＆ドロップ操作により、第２の記録手段に画像データを記録させる指示を入力することを特徴とする請求項１から３のいずれかに記載の画像記録装置。
【請求項５】
前記画像データに関する情報は、撮影日時情報、ユーザ情報、識別情報、特徴量情報、分類情報、形式情報、検索キー情報のうち少なくとも１つを含むことを特徴とする請求項１記載の画像記録装置。
【請求項６】
前記画像データに関する情報のうち、前記第２の記録手段に記録されることにより内容が変更される情報を抽出する抽出手段と、
前記入力手段より変更される内容を入力させ、当該入力された内容に基づいて、前記抽出手段により抽出された情報を編集する編集手段と、
を備えることを特徴とする請求項１又は５記載の画像記録装置。
【請求項７】
前記第２の記録手段に記録されることにより内容が変更される情報は、ユーザ情報であることを特徴とする請求項６記載の画像記録装置。
【請求項８】
前記第１の記録手段に記録されている画像データと、前記第２の記録手段に記録させる画像データとを、識別可能に表示する表示手段をさらに備えることを特徴とする請求項１から７のいずれかに記載の画像記録装置。
【請求項９】
前記第２の記録手段に画像データを記録させる際に、当該第２の記録手段の記録残量と、前記第２の記録手段に記録させるデータ総量とを認識して、当該記録残量が前記データ総量以下であるか否かを判別する判別手段と、
前記判別手段により、前記第２の記録手段の記録残量が前記データ総量以下であると判別された場合に、警告を出力する警告出力手段をさらに備えることを特徴とする請求項１から８のいずれかに記載の画像記録装置。
【請求項１０】
前記第１の記録手段に記録される複数の画像データを対応付けて画像グループを生成する画像グループ生成手段を備え、
前記入力手段は、第１の記録手段に記録される画像データを前記画像グループ単位で選択して、第２の記録手段に記録する指示を入力させ、
前記画像グループ生成手段は、前記入力手段により、第１の記録手段に記録されている画像データを前記画像グループ単位で第２の記録手段に記録させる指示が入力された場合に、当該画像グループに関する情報を生成し、
前記記録制御手段は、前記指示された画像グループに含まれる画像データとともに、前記画像グループに関する情報を第２の記録手段に記録させることを特徴とする請求項１記載の画像記録装置。
【請求項１１】
前記画像グループに関する情報は、第１の記録手段に関する情報と、第３の記録手段に関する情報と、前記画像グループに含まれる画像データのアドレス情報とを含み、
前記第２の記録手段は、画像記録装置に着脱可能な記録メディアにより構成され、前記画像グループに含まれる画像データと、前記画像グループに関する情報とを前記第３の記録手段に転送することを特徴とする請求項１０記載の画像記録装置。
【請求項１２】
前記第３の記録手段と、
前記第２の記録手段から、前記画像グループに含まれる画像データと、前記画像グループに関する情報とを取得する取得手段と、
前記取得手段により取得した画像グループに関する情報に基づいて、前記画像グループに含まれる画像データを前記第３の記録手段に記録させる第２の記録制御手段と、
を備えることを特徴とする請求項１１記載の画像記録装置。
【請求項１３】
前記画像グループに関する情報は、第１の記録手段に関する情報と、第２の記録手段に関する情報と、前記画像グループに含まれる画像データのアドレス情報とを含み、
ネットワークを介して接続される前記第２の記録手段に、前記画像グループに含まれる画像データと、前記画像グループに関する情報とを送信する送信手段を備えることを特徴とする請求項１０記載の画像記録装置。
【請求項１４】
前記第２の記録手段と、
前記送信手段から送信される画像グループに含まれる画像データと、前記画像グループに関する情報とを受信する受信手段と、
前記受信手段により受信した前記画像グループに関する情報に基づいて、前記画像グループに含まれる画像データを前記第２の記録手段に記録する第２の記録手段と、
を備えることを特徴とする請求項１３記載の画像記録装置。
【請求項１５】
画像データ及び画像データに関する情報を対応付けて第１の記録手段に記録する工程と、
前記第１の記録手段に記録された画像データを選択して、第２の記録手段に記録させる指示を入力する工程と、
前記第１の記録手段に記録されている画像データを第２の記録手段に記録させる指示が入力された場合に、当該画像データに対応付けられている画像データに関する情報を前記画像データとともに第２の記録手段に記録させる工程と、
を含むことを特徴とする画像記録方法。
【請求項１６】
前記入力された記録の指示が移動の指示であった場合、前記選択された画像データ及び画像データに関する情報を第１の記録手段から消去する工程を含むことを特徴とする請求項１５記載の画像記録方法。
【請求項１７】
前記入力された記録の指示がコピーの指示であった場合、前記選択された画像データ及び画像データに関する情報を第１の記録手段から消去させない工程を含むことを特徴とする請求項１５記載の画像記録方法。
【請求項１８】
ドラッグ＆ドロップ操作により、第２の記録手段に画像データを記録させる指示を入力する工程を含むことを特徴とする請求項１５から１７のいずれかに記載の画像記録方法。
【請求項１９】
前記画像データに関する情報は、撮影日時情報、ユーザ情報、識別情報、特徴量情報、分類情報、形式情報、検索キー情報のうち少なくとも１つを含むことを特徴とする請求項１５記載の画像記録方法。
【請求項２０】
前記画像データに関する情報のうち、前記第２の記録手段に記録されることにより内容が変更される情報を抽出する工程と、
前記変更される内容を入力させ、当該入力された内容に基づいて、前記抽出された情報を編集する工程と、
を含むことを特徴とする請求項１５又は１９記載の画像記録方法。
【請求項２１】
前記第２の記録手段に記録されることにより内容が変更される情報は、ユーザ情報であることを特徴とする請求項２０記載の画像記録方法。
【請求項２２】
前記第１の記録手段に記録されている画像データと、前記第２の記録手段に記録させる画像データとを、識別可能に表示する工程を含むことを特徴とする請求項１５から２１のいずれかに記載の画像記録方法。
【請求項２３】
前記第２の記録手段に画像データを記録させる際に、当該第２の記録手段の記録残量と、前記第２の記録手段に記録させるデータ総量とを認識して、当該記録残量が前記データ総量以下であるか否かを判別する工程と、
前記第２の記録手段の記録残量が前記データ総量以下であると判別された場合に、警告を出力する工程と、
を含むことを特徴とする請求項１５から２２のいずれかに記載の画像記録方法。
【請求項２４】
前記第１の記録手段に記録される複数の画像データを対応付けて画像グループを生成する工程と、
前記第１の記録手段に記録される画像データを前記画像グループ単位で選択して、前記第２の記録手段に記録する指示を入力させる工程と、
前記第１の記録手段に記録されている画像データを前記画像グループ単位で第２の記録手段に記録させる指示が入力された場合に、当該画像グループに関する情報を生成する工程と、
前記指示された画像グループに含まれる画像データとともに、前記画像グループに関する情報を第２の記録手段に記録させる工程と、
を含むことを特徴とする請求項１５記載の画像記録方法。
【請求項２５】
前記画像グループに関する情報は、第１の記録手段に関する情報と、第３の記録手段に関する情報と、前記画像グループに含まれる画像データのアドレス情報とを含み、
前記第２の記録手段は、画像記録装置に着脱可能な記録メディアにより構成され、前記画像グループに含まれる画像データと、前記画像グループに関する情報とを第３の記録手段に転送する工程を含むことを特徴とする請求項２４記載の画像記録方法。
【請求項２６】
前記第２の記録手段から、前記画像グループに含まれる画像データと、前記画像グループに関する情報とを取得する工程と、
前記取得した画像グループに関する情報に基づいて、前記画像グループに含まれる画像データを前記第３の記録手段に記録させる工程と、
を含むことを特徴とする請求項２５記載の画像記録方法。
【請求項２７】
前記画像グループに関する情報は、第１の記録手段に関する情報と、第２の記録手段に関する情報と、前記画像グループに含まれる画像データのアドレス情報とを含み、
ネットワークを介して接続される前記第２の記録手段に、前記画像グループに含まれる画像データと、前記画像グループに関する情報とを送信する工程を含むことを特徴とする請求項２４記載の画像記録方法。
【請求項２８】
前記送信された画像グループに含まれる画像データと、前記画像グループに関する情報とを受信する工程と、
前記受信した前記画像グループに関する情報に基づいて、前記画像グループに含まれる画像データを前記第２の記録手段に記録する工程と、
を含むことを特徴とする請求項２７記載の画像記録方法。
【請求項２９】
コンピュータに
画像データ及び画像データに関する情報を対応付けて第１の記録手段に記録する機能と、
前記第１の記録手段に記録された画像データを選択して、第２の記録手段に記録させる指示を入力する機能と、
前記第１の記録手段に記録されている画像データを第２の記録手段に記録する指示が入力された場合に、当該画像データに対応付けられている画像データに関する情報を前記画像データとともに第２の記録手段に記録する機能と、
を実現させるためのプログラム。
【請求項３０】
前記入力された記録の指示が移動の指示であった場合、前記選択された画像データ及び画像データに関する情報を第１の記録手段から消去する機能を実現させるための請求項２９記載のプログラム。
【請求項３１】
前記入力された記録の指示がコピーの指示であった場合、前記選択された画像データ及び画像データに関する情報を第１の記録手段から消去しない機能を実現させるための請求項２９記載のプログラム。
【請求項３２】
ドラッグ＆ドロップ操作により、第２の記録手段に画像データを記録する指示を入力する機能を実現させるための項２９から３１のいずれかに記載のプログラム。
【請求項３３】
前記画像データに関する情報のうち、前記第２の記録手段に記録されることにより内容が変更される情報を抽出する機能と、
前記変更される内容を入力させ、当該入力された内容に基づいて、前記抽出された情報を編集する機能と、
を実現させるための請求項２９記載のプログラム。
【請求項３４】
前記第１の記録手段に記録されている画像データと、前記第２の記録手段に記録する画像データとを、識別可能に表示する機能を実現させるための請求項２９から３３のいずれかに記載のプログラム。
【請求項３５】
前記第２の記録手段に画像データを記録させる際に、当該第２の記録手段の記録残量と、前記第２の記録手段に記録させるデータ総量とを認識して、当該記録残量がデータ総量以下であるか否かを判別する機能と、
前記第２の記録手段の記録残量が前記データ総量以下であると判別された場合に、警告を出力する機能と、
を実現させるための請求項２９から３４のいずれかに記載のプログラム。
【請求項３６】
前記第１の記録手段に記録される複数の画像データを対応付けて画像グループを生成する機能と、
前記第１の記録手段に記録される画像データを前記画像グループ単位で選択して、前記第２の記録手段に記録する指示を入力する機能と、
前記第１の記録手段に記録されている画像データを前記画像グループ単位で第２の記録手段に記録させる指示が入力された場合に、当該画像グループに関する情報を生成する機能と、
前記指示された画像グループに含まれる画像データとともに、前記画像グループに関する情報を第２の記録手段に記録する機能と、
実現させるための請求項２９記載のプログラム。
【請求項３７】
前記画像グループに関する情報は、第１の記録手段に関する情報と、第３の記録手段に関する情報と、前記画像グループに含まれる画像データのアドレス情報とを含み、
前記第２の記録手段は、画像記録装置に着脱可能な記録メディアにより構成され、前記画像グループに含まれる画像データと、前記画像グループに関する情報とを第３の記録手段に転送する機能を実現させるための請求項３６記載のプログラム。
【請求項３８】
前記第２の記録手段から、前記画像グループに含まれる画像データと、前記画像グループに関する情報とを取得する機能と、
前記取得した画像グループに関する情報に基づいて、前記画像グループに含まれる画像データを前記第３の記録手段に記録する機能と、
実現させるための請求項３７記載のプログラム。
【請求項３９】
前記画像グループに関する情報は、第１の記録手段に関する情報と、第２の記録手段に関する情報と、前記画像グループに含まれる画像データのアドレス情報とを含み、
ネットワークを介して接続される前記第２の記録手段に、前記画像グループに含まれる画像データと、前記画像グループに関する情報とを送信する機能を実現させるための請求項３６記載のプログラム。
【請求項４０】
前記送信された画像グループに含まれる画像データと、前記画像グループに関する情報とを受信する機能と、
前記受信した前記画像グループに関する情報に基づいて、前記画像グループに含まれる画像データを前記第２の記録手段に記録する機能と、
を実現させるための請求項３９記載のプログラム。
【請求項４１】
コンピュータが実行可能なプログラムを格納した記憶媒体であって、
画像データ及び画像データに関する情報を対応付けて第１の記録手段に記録するプログラムコードと、
前記第１の記録手段に記録された画像データを選択して、第２の記録手段に記録させる指示を入力するプログラムコードと、
前記第１の記録手段に記録されている画像データを第２の記録手段に記録させる指示が入力された場合に、当該画像データに対応付けられている画像データに関する情報を前記画像データとともに第２の記録手段に記録するプログラムコードと、
を含むプログラムを格納した記憶媒体。
【請求項４２】
前記入力された記録の指示が移動の指示であった場合、前記選択された画像データ及び画像データに関する情報を第１の記録手段から消去するプログラムコードを含むプログラムを格納した請求項４１記載の記憶媒体。
【請求項４３】
前記入力された記録の指示がコピーの指示であった場合、前記選択された画像データ及び画像データに関する情報を第１の記録手段から消去しないプログラムコードを含むプログラムを格納した請求項４１記載の記憶媒体。
【請求項４４】
ドラッグ＆ドロップ操作により、第２の記録手段に画像データを記録させる指示を入力するプログラムコードを含むプログラムを格納した請求項４１から４３のいずれかに記載の記憶媒体。
【請求項４５】
前記画像データに関する情報のうち、前記第２の記録手段に記録されることにより内容が変更される情報を抽出するプログラムコードと、
前記変更される内容を入力させ、当該入力された内容に基づいて、前記抽出された情報を編集するプログラムコードと、
を含むプログラムを格納した請求項４１記載の記憶媒体。
【請求項４６】
前記第１の記録手段に記録されている画像データと、前記第２の記録手段に記録させる画像データとを、識別可能に表示するプログラムコードを含むプログラムを格納した請求項４１から４５のいずれかに記載の記憶媒体。
【請求項４７】
前記第２の記録手段に画像データを記録させる際に、当該第２の記録手段の記録残量と、前記第２の記録手段に記録させるデータ総量とを認識して、当該記録残量がデータ総量以下であるか否かを判別するプログラムコードと、
前記第２の記録手段の記録残量が前記データ総量以下であると判別された場合に、警告を出力するプログラムコードと、
を含むプログラムを格納した請求項４１から４６のいずれかに記載の記憶媒体。
【請求項４８】
前記第１の記録手段に記録される複数の画像データを対応付けて画像グループを生成するプログラムコードと、
前記第１の記録手段に記録される画像データを前記画像グループ単位で選択して、前記第２の記録手段に記録する指示を入力するプログラムコードと、
前記第１の記録手段に記録されている画像データを前記画像グループ単位で第２の記録手段に記録させる指示が入力された場合に、当該画像グループに関する情報を生成するプログラムコードと、
前記指示された画像グループに含まれる画像データとともに、前記画像グループに関する情報を第２の記録手段に記録するプログラムコードと、
を含むプログラムを格納した請求項４１記載の記憶媒体。
【請求項４９】
前記画像グループに関する情報は、第１の記録手段に関する情報と、第３の記録手段に関する情報と、前記画像グループに含まれる画像データのアドレス情報とを含み、
前記第２の記録手段は、画像記録装置に着脱可能な記録メディアにより構成され、前記画像グループに含まれる画像データと、前記画像グループに関する情報とを第３の記録手段に転送させる機能を実現するプログラムコードを含むプログラムを格納した請求項４８記載の記憶媒体。
【請求項５０】
前記第２の記録手段から、前記画像グループに含まれる画像データと、前記画像グループに関する情報とを取得するプログラムコードと、
前記取得した画像グループに関する情報に基づいて、前記画像グループに含まれる画像データを前記第３の記録手段に記録するプログラムコードと、
を含むプログラムを格納した請求項４９記載の記憶媒体。
【請求項５１】
前記画像グループに関する情報は、第１の記録手段に関する情報と、第２の記録手段に関する情報と、前記画像グループに含まれる画像データのアドレス情報とを含み、
ネットワークを介して接続される前記第２の記録手段に、前記画像グループに含まれる画像データと、前記画像グループに関する情報とを送信するプログラムコードを含むプログラムを格納した請求項４８記載の記憶媒体。
【請求項５２】
前記送信された画像グループに含まれる画像データと、前記画像グループに関する情報とを受信するプログラムコードと、
前記受信した前記画像グループに関する情報に基づいて、前記画像グループに含まれる画像データを前記第２の記録手段に記録するプログラムコードと、
を含むプログラムを格納した請求項５１記載の記憶媒体。
【発明の詳細な説明】
【０００１】
【発明の属する技術分野】
本発明は、画像ファイルを記録するための記録装置を備える画像記録装置、画像記録方法、プログラム及び記憶媒体に関するものである。
【０００２】
【従来の技術】
近年、画像データを効率良く管理するため、画像データに関する種々の情報（例えば、撮影日時、ユーザ情報、識別情報、特徴量情報、分類情報、形式情報、検索キー情報等）を画像データに対応付けて、画像ファイルとして記録装置に記録する画像記録装置が利用されている。このような画像記録装置に備える記録装置は、画像データのみを格納する画像データベースと、画像データに関する種々の情報を記録するテキストデータベースを有しており、画像データと、画像データに関する各情報はそれぞれ画像データの識別情報等により対応付けがなされている。すなわち、画像データと、画像データに関する種々の情報は、互いに関連付けられた画像ファイルとして取り扱いが行われるものの、記録装置においては別個のファイルとして認識され、管理されている。
【０００３】
そこで、このような画像記録装置に記録されている画像ファイルを他の記録装置に移動又はコピーして画像ファイルのシェアを行う場合、ユーザは、シェアしたい画像データを選択し、画像データのシェア先を指定して、移動又はコピーの指示を入力することにより、他の記録装置に画像データを記録させる。また、ユーザは、この画像データに関する情報を選択して、画像データと共に他の記録装置に移動又はコピーさせる指示を入力することにより、画像データと、画像データに関する情報を同時に他の記録装置に記録させて、画像ファイルのシェアを行っていた。
【０００４】
【発明が解決しようとする課題】
しかしながら、このような従来の画像記録装置にあっては、種々の情報が対応付けられる画像データを画像ファイルとしてシェアする場合、シェアしたい画像データを選択すると共に、画像データに関する情報をそれぞれ選択して移動又はコピーの指示を入力する必要があり、ユーザの手間がかかるという問題があった。また、一度に複数の記録装置に画像ファイルをシェアする場合、それぞれのシェア先に対応してシェアしたい画像データ及び画像データに関する情報を選択することは、手間及び時間がかかり、操作性が悪いという問題があった。さらに、画像データに複数の情報が対応付けられている場合、ユーザの選択ミスにより必要な情報が欠落する恐れがあり、複数の記録装置においてシェアされる画像ファイルの整合性が取れないという問題があった。
【０００５】
ここで、特開平１１−２３４６０８号公報には、デジタルカメラ等の画像撮影装置から他の記録装置に画像データを転送する際に、画像データの検索に利用するためのキー情報を自動的に、画像データと共に転送する技術が開示されている。しかしながら、画像データと共に転送される情報は、キー情報に限られているため、汎用性に乏しいという問題があった。また、画像データに対応付けられる複数の情報を同時に転送する技術は、開示されていなかった。
【０００６】
さらに、画像データを他の記録装置に移動又はコピーさせることにより、画像データに関する情報の内容に変更が生じる場合がある。例えば、画像データに関する情報として対応付けられるユーザ情報は、画像データを所有するユーザの個人情報を含んでいるが、他の記録装置に移動又はコピーすることにより、画像データのユーザが変更される場合があり、画像データに関する情報の整合性が取れなくなるという問題があった。
【０００７】
本発明の課題は、画像記録装置に記録される画像ファイルを複数の記録装置でシェアする際に、容易に所望する画像ファイルを他の記録装置にシェアすると共に、複数の記録装置において整合性の取れた画像データをシェア可能な画像記録装置、画像記録方法、プログラム及び記憶媒体を提供することである。
【０００８】
【課題を解決するための手段】
上記課題を解決するために、請求項１記載の発明は、
画像データ及び画像データに関する情報を対応付けて記録する第１の記録手段と、
前記第１の記録手段に記録された画像データを選択して、第２の記録手段に記録させる指示を入力するための入力手段と、
前記入力手段により、第１の記録手段に記録されている画像データを第２の記録手段に記録させる指示が入力された場合に、当該画像データに対応付けられている画像データに関する情報を前記画像データとともに第２の記録手段に記録させる記録制御手段と、
を備えることを特徴としている。
【０００９】
したがって、第１の記録手段から第２の記録手段に画像データを記録させる指示を入力するだけで、画像データに対応付けて記録されている画像データに関する情報が、第２の記録手段に記録されるため、煩雑な操作を必要とせずに、画像データ及び画像データに関する情報を第２の記録手段に記録させることができる。また、第１の記録手段と、第２の記録手段に記録される画像データ及び画像データに関する情報の整合性を容易にとることができる。
【００１０】
請求項２記載の発明は、請求項１記載の画像記録装置において、
前記記録制御手段は、前記入力手段により入力された記録の指示が移動の指示であった場合、前記選択された画像データ及び画像データに関する情報を第１の記録手段から消去することを特徴としている。
【００１１】
したがって、入力された記録の指示が移動の指示であった場合、第１の記録手段に記録されている画像データ及び画像データに関する情報は，自動的に消去されるため、不要なデータを残すことなく記録手段の記録容量を有効に利用することができる。
【００１２】
請求項３記載の発明は、請求項１記載の画像記録装置において、
前記記録制御手段は、前記入力手段により入力された記録の指示がコピーの指示であった場合、前記選択された画像データ及び画像データに関する情報を第１の記録手段から消去させないことを特徴としている。
【００１３】
したがって、入力された記録の指示がコピーの指示であった場合、第１の記録手段に記録されている画像データ及び画像データに関する情報は消去されないため、重要なデータを第１の記録手段と、第２の記録手段とに記録させておくことができる。
【００１４】
請求項４記載の発明は、請求項１から３のいずれかに記載の画像記録装置において、
前記入力手段は、ドラッグ＆ドロップ操作により、第２の記録手段に画像データを記録させる指示を入力することを特徴としている。
【００１５】
したがって、容易な入力操作により、入力指示を行うことができ、操作性を向上させることができる。
【００１６】
請求項５記載の発明は、請求項１記載の画像記録装置において、
前記画像データに関する情報は、撮影日時情報、ユーザ情報、識別情報、特徴量情報、分類情報、形式情報、検索キー情報のうち少なくとも１つを含むことを特徴としている。
【００１７】
したがって、画像データに関する種々の情報を画像データとともに、第２の記録手段に記録させることができ、複数の画像データに関する情報が画像データに対応付けられている場合でも、情報の欠落を防いで、正確な情報を記録するができる。
【００１８】
請求項６記載の発明は、請求項１又は５記載の画像記録装置において、
前記画像データに関する情報のうち、前記第２の記録手段に記録されることにより内容が変更される情報を抽出する抽出手段と、
前記入力手段より変更された内容を入力させ、当該入力された内容に基づいて、前記抽出手段により抽出された情報を編集する編集手段と、
を備えることを特徴としている。
【００１９】
したがって、第１の記録手段から第２の記録手段に記録させることにより、情報の内容が変更される場合であっても、変更される内容をユーザに入力させ、入力された内容に基づいて、情報の編集を行うので、画像データに関する情報の信頼性を向上させることができると共に、情報の管理を容易に行うことができる。
【００２０】
請求項７記載の発明は、請求項６記載の画像記録装置において、
前記第２の記録手段に記録されることにより内容が変更される情報は、ユーザ情報であることを特徴としている。
【００２１】
したがって、第２の記録手段に記録されることにより、ユーザ情報が変更される場合、ユーザ名を入力させて、正確なユーザ情報を記録することができる。
【００２２】
請求項８記載の発明は、請求項１から７のいずれかに記載の画像記録装置において、
前記第１の記録手段に記録されている画像データと、前記第２の記録手段に記録させる画像データとを、識別可能に表示する表示手段をさらに備えることを特徴としている。
【００２３】
したがって、ユーザは、第１の記録手段に記録されている画像データと、第２の記録手段に記録させる画像データとを、目視にて容易に認識することができる。これにより、ユーザによる人為的ミスを防いで、作業効率を向上させることができる。
【００２４】
請求項９記載の発明は、請求項１から８のいずれかに記載の画像記録装置において、
前記第２の記録手段に画像データを記録させる際に、当該第２の記録手段の記録残量と、前記第２の記録手段に記録させるデータ総量とを認識して、当該記録残量がデータ総量以下であるか否かを判別する判別手段と、
前記判別手段により、前記第２の記録手段の記録残量が前記データ総量以下であると判別された場合に、警告を出力する警告出力手段をさらに備えることを特徴としている。
【００２５】
したがって、第２の記録手段の記録容量が、データ総量以下である場合、警告を出力して、ユーザに報知することができる。これにより、速やかにトラブルに対処して、作業効率を向上させることができる。
【００２６】
請求項１０記載の発明は、請求項１記載の画像記録装置において、
前記第１の記録手段に記録される複数の画像データを対応付けて画像グループを生成する画像グループ生成手段を備え、
前記入力手段は、第１の記録手段に記録される画像データを前記画像グループ単位で選択して、第２の記録手段に記録する指示を入力させ、
前記画像グループ生成手段は、前記入力手段により、第１の記録手段に記録されている画像データを前記画像グループ単位で第２の記録手段に記録させる指示が入力された場合に、当該画像グループに関する情報を生成し、
前記記録制御手段は、前記指示された画像グループに含まれる画像データとともに、前記画像グループに関する情報を第２の記録手段に記録させることを特徴としている。
【００２７】
したがって、第１の記録手段に記録される画像データをグループ化して、生成した画像グループ単位で、第２の記録手段に画像データを記録させることができる。すなわち、煩雑な操作を必要とせずに、所望の画像データをまとめて第２の記録手段に記録させることができるため、利便性が良い。
【００２８】
請求項１１記載の発明は、請求項１０記載の画像記録装置において、
前記画像グループに関する情報は、第１の記録手段に関する情報と、第３の記録手段に関する情報と、前記画像グループに含まれる画像データのアドレス情報とを含み、
前記第２の記録手段は、画像記録装置に着脱可能な記録メディアにより構成され、前記画像グループに含まれる画像データと、前記画像グループに関する情報とを前記第３の記録手段に転送することを特徴としている。
【００２９】
請求項１２記載の発明は、請求項１１記載の画像記録装置において、
前記第３の記録手段と、
前記第２の記録手段から、前記画像グループに含まれる画像データと、前記画像グループに関する情報とを取得する取得手段と、
前記取得手段により取得した画像グループに関する情報に基づいて、前記画像グループに含まれる画像データを前記第３の記録手段に記録させる第２の記録制御手段と、
を備えることを特徴としている。
【００３０】
したがって、例えば、記録メディアを介して、第１の記録手段に記録される画像データを、第３の記録手段に記録させることができ、画像データを広い範囲にて利用することができる。また、画像データを画像グループに関する情報に基づいて第３の記録手段に記録することにより、第１の記録手段に記録されている画像グループと同様のデータ構成により、画像データを記録することができ、複数の記録手段において、画像データの整合性を容易にとることができる。
【００３１】
請求項１３記載の発明は、請求項１０記載の画像記録装置において、
前記画像グループに関する情報は、第１の記録手段に関する情報と、第２の記録手段に関する情報と、前記画像グループに含まれる画像データのアドレス情報とを含み、
ネットワークを介して接続される前記第２の記録手段に、前記画像グループに含まれる画像データと、前記画像グループに関する情報とを送信する送信手段を備えることを特徴としている。
【００３２】
請求項１４記載の発明は、請求項１３記載の画像記録装置において、
前記第２の記録手段と、
前記送信手段から送信される画像グループに含まれる画像データと、前記画像グループに関する情報とを受信する受信手段と、
前記受信手段により受信した前記画像グループに関する情報に基づいて、前記画像グループに含まれる画像データを前記第２の記録手段に記録する第２の記録手段と、
を備えることを特徴としている。
【００３３】
したがって、ネットワークを介して接続される第２の記録手段に、第１の記録手段に記録される画像データを記録させることができ、画像データをさらに広い範囲にて利用することができ、利便性が向上する。また、画像データを画像グループに関する情報に基づいて第２の記録手段に記録することにより、第１の記録手段に記録されている画像グループと同様のデータ構成により、画像データを記録することができ、複数の記録手段において、画像データの整合性を容易にとることができる。
【００３４】
【発明の実施の形態】
以下、図を参照して本発明の実施の形態を詳細に説明する。ただし、発明の範囲は、図示例に限定されない。
ここで、本発明に係る画像記録装置と、本実施の形態の画像記録装置１とにおける各構成要素の対応関係を明示する。すなわち、本発明の第１の記録手段は、本実施の形態の記憶部１７に対応し、本発明の第２の記録手段又は第３の記録手段は、本実施の形態の記録装置２７又は記録媒体３に対応している。また、本発明の入力手段は、本実施の形態の入力部１３に対応し、本発明の表示手段は、本実施の形態の表示部１２に対応している。また、本発明の記録制御手段、抽出手段、編集手段、警告出力手段、画像グループ生成手段は、本実施の形態のＣＰＵ１１に対応し、本発明の第２の記録手段は、本実施の形態のＣＰＵ２１に対応している。さらに、本発明の取得手段は、本実施の形態のＩ／Ｆ部２６に対応し、本発明の送信手段又は受信手段は、本実施の形態の通信部１４又は通信部２４に対応している。
【００３５】
［第１の実施の形態］
まず、本発明を適用した第１の実施の形態における構成を説明する。
図１は、本第１の実施の形態における画像記録システム１００のシステム構成を示す概念図である。図１に示すように、画像記録システム１００は、画像記録装置１、記録装置を備える外部機器２、記録媒体３等を備えて構成されており、画像記録装置１と、外部機器２は、ネットワークＮを介して接続されている。なお、図１において、画像記録システム１００は、１台の画像記録装置１、３台の外部機器２、３つの記録媒体３を備える場合を例として示したが、これらの数は特に限定されない。
【００３６】
画像記録装置１は、画像データと、画像データに関する情報とを対応付けて画像ファイルとして格納する記録装置を備えており、ユーザの指示に応じて、ネットワークＮを介して接続される外部機器２と画像ファイルをシェアしたり、画像記録装置１に直接着脱可能に装着される記録媒体３と画像ファイルのシェアを行う。
【００３７】
外部機器２は、パーソナルコンピュータ、サーバ、データベース等により構成され、画像ファイルを格納するための記録装置を備えている。外部機器２は、ネットワークＮを介して画像記録装置１から転送される画像データ及び画像データに関する情報が対応付けられた画像ファイルをこの記録装置に格納する。なお、外部機器２は、他の画像記録装置１により構成されていても良い。
【００３８】
記録媒体３は、例えば、画像記録装置１に着脱可能に接続されるＦＤ（Ｆｌｏｐｐｙ（登録商標）Ｄｉｓｋ）、ＭＯ（Ｍａｇｎｅｔｏ　Ｏｐｔｉｃａｌ　Ｄｉｓｋ）、ＣＤ−Ｒ（ＣＤ−Ｒｅｃｏｒｄａｂｌｅ）、半導体メモリ等の記録メディア、或いは、記憶部１７と別体にて構成され、画像記録装置１に固定的に備えられる外部記録装置等により構成され、画像記録装置１から転送される画像データ及び画像データに関する情報が対応付けられた画像ファイルを記録する。なお、記録媒体３は、後述する画像記録装置１の記憶部１７の記録領域が分割されたパーティションにより構成されていても良い。
【００３９】
ネットワークＮは、専用線や既存の一般公衆回線を利用して構築された通信ネットワークであり、ＬＡＮ（Ｌｏｃａｌ　Ａｒｅａ　Ｎｅｔｗｏｒｋ）やＷＡＮ（Ｗｉｄｅ　Ａｒｅａ　Ｎｅｔｗｏｒｋ）などの様々な改選形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００４０】
続いて、図１に示す画像記録装置１の構成を説明する。
図２は、画像記録装置１の要部構成を示すブロック図である。図２に示すように、画像記録装置１は、ＣＰＵ１１、表示部１２、入力部１３、通信部１４、ＲＡＭ１５、Ｉ／Ｆ部１６、記憶部１７等を備えて構成され、各部はバス１８により接続されている。
【００４１】
ＣＰＵ（Ｃｅｎｔｒａｌ　Ｐｒｏｃｅｓｓｉｎｇ　Ｕｎｉｔ）１１は、記憶部１７に格納されている各種プログラムの中から指定されたプログラムを、ＲＡＭ１５内の図示しないワークエリアに展開し、入力部１３、及び通信部１４から入力されるデータに応じて、プログラムに従った各種処理を実行し、処理結果をＲＡＭ１５内のワークメモリに格納する。また、処理結果を表示するための表示情報を生成して表示部１２へ出力する。
【００４２】
具体的に、ＣＰＵ１１は、後述する画像ファイルシェア処理（図４参照）を実行する。ここで、画像ファイルとは、画像データと画像データに関する情報が対応付けられたファイルであり、画像データに関する情報は、例えば、撮影日時情報、ユーザ情報、識別情報、特徴量情報、分類情報、形式情報、検索キー情報等を含む情報である。撮影日時情報は、画像データが撮影された撮影年月日や時間を含む情報であり、ユーザ情報は、画像データを所有するユーザに関する個人情報を含む情報である。識別情報は、画像データの名称を含む情報であり、特徴量情報は、例えば、画像データの色情報、解像度、画像処理情報等を含む情報である。分類情報は、例えば、風景画や人物画等のカテゴリを含む情報であり、形式情報は、画像データの縦横形式等を含み画像データを閲覧する際に利用される情報である。さらに、検索キー情報は、画像データを検索する際のキーワードを含む情報である。
【００４３】
上述した画像ファイル記録処理を実行するに際して、ＣＰＵ１１は、画像ファイルをシェアする指示が入力されると、画像ＢＤ１７ａに記録されている画像データのサムネールをシェア元フォルダに一覧表示させる。また、ＣＰＵ１１は、予め登録してあるシェア先を一覧表示させてシェア先を選択させるか、入力部１３を介して新規にシェア先を入力させる。ここで、シェア先とは、新たに画像ファイルを記録させる記録先を示し、例えば、シェア先が外部装置２である場合、外部記録装置２のＩＰアドレス、ドメイン名、ＵＲＬ、Ｅ−ｍａｉｌアドレス等であり、シェア先が記録媒体３である場合、ドライブ名、ディレクトリ名等である。
【００４４】
さらに、ＣＰＵ１１は、画像ＤＢ１７ａに記録されている画像データを一覧表示させたウィンドウとは異なるウィンドウにシェア用フォルダを表示させる。そして、サムネールを表示させたシェア元フォルダの画像データの中からシェアしたい画像データを選択させ、例えば、マウス等によりドラッグ＆ドロップ操作にて、シェアしたい画像データをシェア用フォルダに移動させる。ここで、ＣＰＵ１１は、例えば、通常のドラッグ＆ドロップ操作が行われた場合、画像データのコピー指示が入力されたと判断し、キーボードの所定のキーが押下されつつドラッグ＆ドロップ操作が行われた場合、ＣＰＵ１１は、画像データの移動指示が入力されたと判断する。
【００４５】
続いて、ＣＰＵ１１は、画像データがシェア用フォルダに移動されると、画像ＤＢ１７ａから選択された画像データを取得してＲＡＭ１５に格納する。また、ＣＰＵ１１は、記憶部１７から後述する画像ファイル管理テーブル１７１を取得して、選択された画像データに対応付けられて記録されている画像データに関する情報を取得する。詳細には、ＣＰＵ１１は、画像ファイル管理テーブル１７１に記録されている画像データに関する情報の参照先を取得して、テキストＤＢ１７ｂの所定の参照先から画像データに対応付けられた画像データに関する情報を取得して、ＲＡＭ１５に格納する。
【００４６】
さらに、ＣＰＵ１１は、ＲＡＭ１５に格納した画像データに関する情報のうち、画像データのシェアに伴って、情報の内容に更新が必要な情報を抽出する。例えば、画像データのシェア先が外部機器２である場合、画像データに対応付けられているユーザ情報の内容に更新が必要となる。そこで、ＣＰＵ１１は、ユーザ情報の更新を行うか否かのメッセージを表示部１２に表示させて、必要に応じてユーにユーザ情報を入力させる。そして、ユーザ情報の入力があった場合、ＣＰＵ１１は、入力された内容に応じてＲＡＭ１５に格納されたユーザ情報の編集を行う。
【００４７】
そして、ＣＰＵ１１は、ＲＡＭ１５に格納させた画像データ及び編集された内容を含む画像データに関する情報をシェア先に記録させる。ここで、シェア先がネットワークを介して接続された外部機器２であり、画像記録装置１から外部機器２への接続が常時許可されている場合、ＣＰＵ１１は、ネットワークＮを介して画像データ及び画像データに関する情報を画像ファイルとして外部機器２へ転送して、外部機器２の備える記録装置に画像ファイルを記録させる。また、外部機器２が常時ネットワークＮに接続されていない場合、ＣＰＵ１１は、画像データ及び画像データに関する情報を添付した電子メールを作成する。
【００４８】
さらに、シェア先が記録媒体３であり、ＦＤ、ＣＤ−Ｒ等の記録メディアである場合、ＣＰＵ１１は、Ｉ／Ｆ部１６を介して指定されたドライブに画像データ及び画像データに関する情報を転送して、記録媒体３に画像ファイルの記録を行う。或いは、シェア先が記録媒体３であり、画像記録装置１の備える他の記録装置又はパーティションである場合、ＣＰＵ１１は、指定されたディレクトリに画像ファイルの記録を行う。
【００４９】
そして、ＣＰＵ１１は、シェア先に画像ファイルの記録を行った後、シェアした画像ファイルへの指示が移動の指示であるか、コピーの指示であるかを判断し、画像ファイルに移動の指示が入力されていた場合、シェア元である画像ＤＢ１７ａに記録されている画像データと、テキストＤＢ１７ｂに記録されている画像データに関する情報を削除する。
【００５０】
さらに、ＣＰＵ１１は、シェアを行う画像データの選択が全て終了したか否かを判別する。ここで、画像データの選択を終了する指示が入力された場合、ＣＰＵ１１は、シェア用フォルダに格納させた画像データを全て消去すると共に、ＲＡＭ１５に格納した画像データ及び画像データに関する情報を全てクリアする。なお、シェア先がネットワークＮに常時接続されていない外部機器２である場合、画像データの選択を終了する指示が入力されると、ＣＰＵ１１は、生成した電子メールを所定のＥ−ｍａｉｌアドレスに送信した後に、シェア用フォルダ及びＲＡＭ１５に格納した各データを消去する。
【００５１】
表示部１２は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等によってなる表示画面を備え、ＣＰＵ１１から入力される表示信号の指示に従って入力部１３、通信部１４を介して送受信される表示データを画面上に表示する。
【００５２】
入力部１３は、文字キー、数字キー、及び各種機能キーを備えたキーボードを含み、このキーボードで押下されたキーに対応する押下信号をＣＰＵ１１に出力する。また、入力部１３は、必要に応じてマウス、タッチパネル等のポインティングデバイスや、その他の入力装置を備えるものとしてもよい。
【００５３】
通信部１４は、ＬＡＮ、ＷＡＮ等のネットワークに接続された伝送媒体に接続可能なインターフェイスである。通信部１４は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００５４】
ＲＡＭ（Ｒａｎｄｏｍ　Ａｃｃｅｓｓ　Ｍｅｍｏｒｙ）１５は、ＣＰＵ１１によって実行される各種プログラムやこれら各種プログラムによって処理されたデータ等を一時的に記憶するワークエリアを形成する。
【００５５】
Ｉ／Ｆ部１６は、データ入出力用のポート（図示せず）を備え、このポートにＦＤ、ＣＤ−Ｒ、半導体メモリ等の記録メディアを接続してデータの転送速度の調整等を行い、画像記録装置１と、記録メディアとの間で画像ファイルのやりとりを仲介する。
【００５６】
記憶部１７は、プログラムやデータ等が予め記録されている記録媒体（図示せず）を有しており、この記録媒体は磁気的、光学的記録媒体、若しくは半導体メモリで構成されている。この記録媒体は、記憶部１７に固定的に設けられるもの、若しくは着脱自在に装着するものであり、この記録媒体には、システムプログラム、当該システムに対応する各種処理プログラム、及び各種処理プログラムで処理されたデータ等を記録する。また、プログラムは、コンピュータが読み取り可能なプログラムコードの形態で格納され、ＣＰＵ１１は、当該プログラムコードに従った動作を逐次実行する。
【００５７】
また、記憶部１７は、画像データを記録する画像データベース（以下、「ＤＢ」と記す）１７ａと、画像データに関する情報を記録するテキストＤＢ１７ｂとを備えている。また、画像ＤＢ１７ａは、画像データと、画像データに関する情報を画像ファイルとして対応付けるための画像ファイル管理テーブル１７１を格納している。
【００５８】
図３を参照して、画像ファイル管理テーブル１７１について説明する。図３に示すように、画像ファイル管理テーブル１７１には、画像ＤＢ１７ａにおける画像データの参照先に対応して、例えば、この画像データに関する情報である撮影日時情報の参照先、ユーザ情報等のテキストＤＢ１７ｂにおける参照先等がそれぞれ記録されている。したがって、画像ＤＢ１７ａに記録される画像データがシェア対象として選択された場合、選択された画像データに対応付けられている画像データに関する情報が、画像ファイル管理テーブル１７１に基づいて読み出され、読み出された画像データに関する情報は、画像データと対応付けられ、画像ファイルとしてシェア先に転送される。
【００５９】
次に、本第１の実施の形態における動作を説明する。
なお、動作説明の前提として、以下のフローチャートに記述されている各処理を実現するためのプログラムは、画像記録装置１のＣＰＵ１１が読み取り可能なプログラムコードの形態でＲＯＭに格納されており、ＣＰＵ１１は、当該プログラムコードに従った動作を逐次実行する。なお、以下ではシェア先がネットワークＮに常時接続されている外部機器２である場合を例として説明を行う。
【００６０】
図４は、ＣＰＵ１１により実行される画像ファイルシェア処理を示すフローチャートである。図４に示すように、入力部１３を介してユーザから画像ファイルをシェアする指示が入力されると（ステップＳ１）、ＣＰＵ１１は、画像ＤＢ１７ａに記録されている画像データのサムネールを読み出して、シェア元フォルダに画像データのサムネールを一覧表示させる（ステップＳ２）。
【００６１】
次いで、ＣＰＵ１１は、画像ファイルのシェア先一覧を表示して、画像ファイルのシェア先を指定させ（ステップＳ３）、シェア用フォルダを表示させる（ステップＳ４）。次いで、ＣＰＵ１１は、シェア元フォルダに表示されている画像データのサムネールの中からシェアしたい画像ファイルを選択して、シェア用フォルダにドラッグ＆ドロップさせることにより、コピー又は移動の指示を入力させる（ステップＳ５）。この際、ユーザは、通常のドラッグ＆ドロップ操作又はキーボードの所定のキーを押下してドラッグ＆ドロップ操作を行うことにより、コピー又は移動の指示を区別して入力することができる。
【００６２】
続いて、ＣＰＵ１１は、選択された画像データを画像ＤＢ１７ａから取得して、ＲＡＭ１５に格納すると共に、記憶部１７から画像ファイル管理テーブル１７１を取得して、選択された画像データに対応づけられる画像データに関する情報をテキストＤＢ１７ｂから取得して、ＲＡＭ１５に格納する（ステップＳ６）。そして、ＣＰＵ１１は、シェア先の記憶容量を取得すると共に、取得した画像データ、及び画像データに関する情報のデータ容量を算出して、シェア先の記憶容量が足りているか否かを判別する（ステップＳ７）。ここで、シェア先の記憶容量が足りない場合（ステップＳ７；ＮＯ）、ＣＰＵ１１は、警告情報を表示部１２に表示させて（ステップＳ１６）、本画像ファイルシェア処理を終了する。
【００６３】
一方、シェア先の記憶容量が足りている場合（ステップＳ７；ＹＥＳ）、ＣＰＵ１１は、ユーザ情報に変更があるか否かを判別する（ステップＳ８）。ここで、ＣＰＵ１１は、ユーザ情報に変更がある場合（ステップＳ８；ＹＥＳ）、例えば、シェア先が画像記録装置１に固定的に接続されている記録媒体３でない場合、ユーザ情報の入力を促すメッセージを表示して、ユーザ情報の入力を行わせ、入力された内容に基づいて、ユーザ情報の編集を行う（ステップＳ９）。
【００６４】
そして、ＣＰＵ１１は、シェア先の外部機器２に画像データ及び画像データに関する情報を転送して記録装置に記録させ（ステップＳ１０）、シェア用フォルダに画像データのサムネールを表示させる（ステップＳ１１）。続いて、ＣＰＵ１１は、画像ファイルをシェアする指示が、移動の指示であったか、コピーの指示であったかを判別し（ステップＳ１２）、指示が移動であった場合（ステップＳ１２；ＹＥＳ）、シェア元の画像データ及び画像データに関する情報を、画像ＤＢ１７ａ及びテキストＤＢ１７ｂから削除して、シェア元フォルダ内の対応する画像データのサムネールを非表示する（ステップＳ１３）。
【００６５】
そして、ＣＰＵ１１は、画像ファイルのシェアを終了する指示が入力されたか否かを判別し（ステップＳ１４）、画像ファイルのシェアを終了させる場合（ステップＳ１４；ＹＥＳ）、ＲＡＭ１５に格納した画像データ及び画像データに関する情報を消去すると共に、表示部１２に表示させたシェア用フォルダを消去して（ステップＳ１５）、本画像ファイルシェア処理を終了する。また、画像ファイルのシェアを終了させない場合（ステップＳ１４）、ＣＰＵ１１は、ステップＳ５に戻って、他の画像データの選択を行わせ、ステップＳ５〜Ｓ１４の処理を繰り返して実行する（ステップＳ１４）。
【００６６】
次に図５を参照して、上述した画像ファイルシェア処理において表示部１２に表示される画面の具体例を説明する。図５の上段は、画像ＤＢ１７ａに格納される画像データのサムネールが一覧表示されるシェア元フォルダを示す図である。また、図５の下段は、シェア先に記録される画像データのサムネールを表示させるシェア用フォルダを示す図である。このシェア元フォルダ及びシェア用フォルダは同一画面内に別ウィンドウとして表示されており、シェア元フォルダに表示されているサムネールをドラッグ＆ドロップ操作して、シェア用フォルダに移行させることにより、シェア指示を入力する構成となっている。
【００６７】
以上のように、本第１の実施の形態によれば、画像ＤＢ１７ａに格納される画像データと、テキストＤＢ１７ｂに格納される画像データに関する情報とを、画像ファイル管理テーブル１７１により対応付けて管理することにより、画像ファイルをシェアする指示が入力された場合に、画像ＤＢ１７ａから選択された画像データを取得すると共に、画像ファイル管理テーブル１７１を参照して、テキストＤＢ１７ｂから画像データに関する情報を取得して、画像データと、画像データに関する情報とを対応付けて、画像ファイルとして他の記録装置に記録させ、画像ファイルのシェアを行う。
【００６８】
これにより、他の記録装置とシェアしたい画像データを選択して、シェア指示を入力するだけで、画像データ及び当該画像データに関する情報を対応付けた画像ファイルを他の記録装置とシェアすることができる。したがって、画像記録装置１において画像ファイルとして取り扱われるデータを他の記録装置とシェアする際に、各データをそれぞれユーザの操作により選択して、シェアする指示を入力する必要がなく、データの欠落を防ぐと共に、容易に整合性の取れた画像ファイルを他の記録装置とシェアすることができる。
【００６９】
また、画像ファイルをシェアするにあたり、画像データに関する情報に変更が生じる場合、ユーザに変更される情報の内容を入力させることにより、入力された内容に基づいて、画像データに関する情報の編集を行う。これにより、画像ファイルに含まれる画像データに関する情報を正確な内容に編集して記録させることができる。
【００７０】
また、画像ファイルのシェア指示を入力する際に、ドラッグ＆ドロップ操作により簡単に指示を入力することができるため、操作性が良く作業効率を向上させることができる。また、画像ファイルをシェアする際に、移動又はコピーの指示を区別して入力することにより、記憶部１７に記録される画像ファイルを保存又は消去することができるため、必要に応じて、画像ファイルを保存する場合は、重要な画像ファイルを保護することができ、画像ファイルを消去する場合は、記憶部１７の記録容量を有効に利用することができる。
【００７１】
なお、上述した本第１の実施の形態における記述は、本発明に係る好適な画像記録装置１の一例であり、これに限定されるものではない。
例えば、本第１の実施の形態においては、画像記録装置１と、単独の外部機器２又は記録媒体３と画像ファイルをシェアする場合を例として説明を行ったが、シェア先の数は複数あってもよく、この場合、画像記録装置１は、シェア先の数に対応した個数分のシェア用フォルダを作成する。また、複数のシェア先にそれぞれ異なるデータをシェアする場合、シェア先毎に対応するシェア用フォルダを作成し、シェアする画像ファイルを格納する。
【００７２】
さらに、他の記録装置が記録媒体３である場合、シェア用フォルダを作成せずに、直接記録媒体３の記憶領域に画像ファイルを記録させる構成であっても良い。また、本第１の実施の形態において、コピーの指示は通常のドラッグ＆ドロップ操作により入力し、移動の指示はキーボードの所定のキーを押下しながらドラッグ＆ドロップ操作を行うことにより入力する構成としたが、コピー又は移動の指示はこれに限らず、例えば、画像ファイルをシェアする指示を入力する前後で、コピーであるか移動であるかの指示を入力する構成であっても良い。
【００７３】
或いは、画像データに関する情報は、上述した例に限らず種々の情報が対応付けられる構成であってよい。また、画像データのシェアに伴って、情報の内容に更新が必要な情報はユーザ情報に限らず、その他各情報を変更された内容に応じて編集する構成であって良い。
【００７４】
［第２の実施の形態］
次に、本発明を適用した第２の実施の形態について説明する。
本第２の実施の形態における画像記録システム２００は、第１の実施の形態に示した画像記録システム１００と同様の構成によってなるため、同一の構成部分については同一の符号を付し、その構成については図示及び説明を省略する。以下では、本第２の実施の形態に特徴的な構成、及び処理について説明を行う。また、本第２の実施の形態においては画像データ及び画像ファイルに関する情報が対応付けられた画像ファイルをシェア対象として以下説明するが、画像データ及び画像データに関する情報の対応付けは、上述した第１の実施の形態と同様の処理により行われるため、本第２の実施の形態においては、説明を省略する。
【００７５】
すなわち、本第２の実施の形態の画像記録システム２００においては、画像記録装置１により、本第１の実施の形態で示した画像データ及び画像データに関する情報が対応付けられた画像ファイルがグループ化され、グループ化された画像ファイルが記録媒体３に記録され、外部機器２において記録媒体３からグループ化された画像ファイルが取得され、外部機器２の記録装置に記録されることにより、画像記録装置１と、外部機器２との間でグループ化された画像ファイルのシェアを行う。したがって、本第２の実施の形態に特徴的な構成として、外部機器２は、不図示のＣＰＵ２１、表示部２２、入力部２３、通信部２４、ＲＡＭ２５、Ｉ／Ｆ部２６、記録装置２７等を備えるパーソナルコンピュータにより構成され、記録媒体３は、画像記録装置１及び外部機器２に着脱自在に装着される記録メディアにより構成される場合を例として説明を行う。なお、外部機器２は、画像記録装置１により構成されていても良い。
【００７６】
具体的に、本第２の実施の形態に特徴的な処理として、画像記録装置１のＣＰＵ１１は、後述する画像グループシェア処理（図９参照）を実行する。この画像グループシェア処理を実行するに際して、ＣＰＵ１１は、画像ファイルをグループ化する指示が入力されると、グループ化する画像ファイルを選択させると共に、グループの名称となるアルバム名及びグループ化アイコンを設定させる。そして、ＣＰＵ１１は、選択された画像ファイルにアルバム名及びグループ化アイコンを対応付けて、画像ファイルのグループ化を行う。
【００７７】
また、ＣＰＵ１１は、グループシェア指示が入力されると、表示部１２にグループアイコンを表示させてシェアする画像グループのグループアイコンを選択させる。また、ＣＰＵ１１は、選択された画像グループのシェア先を指定させる。そして、ＣＰＵ１１は、シェア元及びシェア先に関する情報と、選択された画像ファイルのアドレス情報に基づいて、グループシェアデータファイル１７２を作成する。
【００７８】
ここで、図６を参照してグループシェアデータファイル１７２のデータ構成例を説明する。図６に示すように、グループシェアデータファイル１７２は、シェア元及びシェア先に関する情報、グループ化された画像ファイルに関する情報を記録している。まず、シェア元に関する情報として、シェア元氏名及びシェア元住所が記録されている。シェア元氏名には、例えば、画像グループを所有するユーザ名、画像グループの名称であるアルバム名等を含み、シェア元住所には、例えば、画像グループを所有するユーザの住所、Ｅ−ｍａｉｌアドレス、ＦＴＰサーバのアドレス等を含んでいる。
【００７９】
また、シェア先に関する情報として、シェア先氏名及びシェア先住所が記録され、シェア先氏名には、シェア元氏名と同様に、シェア先のユーザ名、アルバム名等が含まれ、シェア先住所には、シェア先の住所、Ｅ−ｍａｉｌアドレス、ＦＴＰサーバのアドレス等が含まれている。さらに、グループ化された画像ファイルに関する情報として、グループ化された画像ファイルのアドレス情報が絶対パスにより記録されている。この絶対パスは、例えば、図６に示すように「／ＤＣＩＭ／１００ＫＣＩＭＧ／ＸＸＸＸ０００１．ＪＰＧ」といった文字列が記録されており、この画像ファイルは、ＤＣＩＭフォルダ内の１００ＫＣＩＭＧフォルダにＸＸＸＸ０００１というファイル名を持つＪＰＥＧ形式の画像ファイルが記録されていることを示している。
【００８０】
さらに、ＣＰＵ１１は、グループシェアデータファイル１７２が作成されると、記録メディアの挿入を促すメッセージを表示部１２に表示させ、記録メディアが挿入されると、記録メディアにグループ化された画像ファイル及びグループシェアデータファイル１７２を記録する。
【００８１】
また、画像記録装置１と、グループ化された画像ファイルをシェアする外部機器２のＣＰＵ２１は、後述するグループシェア記録処理（図１０参照）を実行する。このグループシェア記録処理を実行するに際して、ＣＰＵ２１は、Ｉ／Ｆ部２６を介して、記録メディアが装着された場合、記録メディアに記録されているグループシェアデータファイル１７２を取得して、画像グループの名称であるアルバム名を取得する。さらに、ＣＰＵ２１は、取得したアルバム名を含むフォルダ名を作成して、所定の階層に新規フォルダを作成する。
【００８２】
例えば、アルバム名がＦｒｉｅｎｄＡである場合、ＣＰＵ２１は、フォルダの作成年月日（２００２年５月６日８時３０分２４秒）と組み合わせて、「ＦｒｉｅｎｄＡ２００２０５０６０８３０２４」といったフォルダ名を作成する。なお、このフォルダ名の作成方法は一例であり、その他種々の方法によりフォルダ名を作成可能であり、例えば、フォルダの作成年月日のみや、アルバム名と所定の文字を組み合わせる形態であっても良い。
【００８３】
また、ＣＰＵ２１は、記録メディアから画像ファイルを読み出して、グループシェアデータファイル１７２に基づいて、作成されたフォルダに画像ファイルを記録する。さらに、ＣＰＵ２１は、グループシェアデータファイル１７２に記録される画像ファイルのアドレス情報を、シェア先のアドレス情報に更新して編集し、グループシェアデータファイル１７３を作成する。
【００８４】
ここで、図７を参照して、グループシェアデータファイル１７３のデータ構成例を説明する。グループシェアデータファイル１７３は、上述したグループシェアデータファイル１７２の画像ファイルに関する情報が編集されたものである。図７に示すように、画像ファイルに関する情報として、画像ファイルのアドレス情報が絶対パスにより記録されており、例えば、「ＤＣＩＭ／ＦｒｉｅｎｄＡ２００２０５０６０８３０２４／ＸＸＸＸ０００１．ＪＰＧ」といった文字列が記録されている。これは、ＤＣＩＭフォルダ内のＦｒｉｅｎｄＡ２００２０５０６０８３０２４フォルダにＸＸＸＸ０００１というファイル名を持つＪＰＥＧ形式の画像ファイルが記録されていることを示している。
【００８５】
すなわち、シェア元からシェア先に画像ファイルがシェアされることにより、画像ファイルが記録される記録装置が変更されるため、画像ファイルの記録されるアドレス情報も変更される。これに伴い、ＣＰＵ２１は、グループシェアデータファイル１７２に記録される情報の編集を行い、グループシェアデータファイル１７３を作成する。そして、ＣＰＵ２１は、作成したグループシェアデータファイル１７３を、画像ファイルが記録されるフォルダに記録する。
【００８６】
次に、図９を参照して、グループシェア記録処理により、記録装置２７に記録される画像ファイルのデータ構成例を説明する。図９に示すように、ＤＣＩＭフォルダの直下にある１００ＫＣＩＭＧ、１０１ＫＣＩＭＧフォルダは、予め記録装置２７に格納されているフォルダであり、このフォルダと同一階層に、新規フォルダとして、ＦｒｉｅｎｄＡ２００２０５０６０８３０２４フォルダが作成されている。そして、このＦｒｉｅｎｄＡ２００２０５０６０８３０２４の直下には、記録メディアから読み出されたＸＸＸＸ０００１、ＸＸＸ０００２、…のファイル名を持つ画像ファイルが格納されている。
【００８７】
次に、本第２の実施の形態における動作を説明する。
図９は、画像記録装置１のＣＰＵ１１により実行される画像グループシェア処理を示すフローチャートである。図９に示すように、ＣＰＵ１１は、ユーザにより入力部１３を介して、画像ファイルのグループ化を行う指示が入力されると（ステップＳ１１；ＹＥＳ）、画像ＤＢ１７ａに記録されている画像のサムネールを表示部１２に一覧表示させる（ステップＳ２２）。次いで、表示された画像のサムネールの中から、グループ化する画像ファイルを選択させ（ステップＳ２３）、画像グループの名称となるアルバム名と、グループ化アイコンを設定させる（ステップＳ２４）。そして、ＣＰＵ１１は、選択された画像ファイルと、アルバム名、グループ化アイコンを対応付けて、画像ファイルのグループ化を行う（ステップＳ２５）。
【００８８】
次いで、ＣＰＵ１１は、ユーザにより入力部１３を介して、グループシェア指示が入力されたか否かを判別し、グループシェア指示が入力された場合（ステップＳ２６；ＹＥＳ）、画像ＤＢ１７ａに記録されている画像グループに対応するグループアイコンを表示部１２に一覧表示させる（ステップＳ２７）。次いで、シェアする画像グループのアイコンを選択させると共に（ステップＳ２８）、シェア先リストを一覧表示してシェア先を選択させるか、入力部１３を介して新規に入力させることにより、シェア先を指定させる（ステップＳ２９）。
【００８９】
そして、ＣＰＵ１１は、シェア元、シェア先、及びグループ化された画像ファイルに関する情報を生成して、グループシェアデータファイル１７２を作成する（ステップＳ３０）。さらに、ＣＰＵ１１は、記録メディアが挿入されると（ステップ３１）、この記録メディアにグループ化された画像ファイル及びグループシェアデータファイル１７２を記録して（ステップＳ３２）、本画像グループシェア処理を終了する。
【００９０】
続いて、図１０を参照して、外部機器２のＣＰＵ２１により実行されるグループシェア記録処理について説明する。図１０に示すように、外部機器２に上記各データを記録した記録メディアが挿入されると（ステップＳ４１；ＹＥＳ）、ＣＰＵ２１は、記録メディアに記録されているグループシェアデータファイル１７２を読み出して、画像グループの名称であるアルバム名を取得する。次いで、このアルバム名を含むフォルダ名を持つ新規フォルダを所定の階層に作成する（ステップＳ４２）。
【００９１】
そして、ＣＰＵ２１は、記録メディアに記録されている画像ファイルを読み出して、グループシェアデータファイル１７２に基づいて、作成した新規フォルダに画像ファイルを記録する（ステップＳ４３）。さらに、ＣＰＵ２１は、グループシェアデータファイル１７２のアドレス情報を、新たに記録されたアドレス情報に更新して、グループシェアデータファイル１７３を作成する。そして、ＣＰＵ２１は、作成したグループシェアデータファイル１７３を、画像ファイルが記録されているフォルダに記録して（ステップＳ４４）、本画像グループシェア記録処理を終了する。
【００９２】
以上フローチャートを参照して、画像記録装置１により行われる画像グループシェア処理の説明を行ったが、図１１に示す実際の表示画面例を参照して、画像グループシェア処理の工程を説明する。
【００９３】
まず、画像グループシェア処理の初期画面として、図１１（ａ）に示すように、表示画面には、複数のアイコンが表示される。ここで、グループ化の指示を入力する場合、ユーザは、「アルバム」アイコンを押下する。次いで、「アルバム」アイコンが押下されると、図１１（ｂ）に示すように、画像ＤＢ１７ａに記録されている画像のサムネールが一覧表示される。この表示画面において、ユーザは、所望の画像のサムネールを選択して、画面左上に設置される「分類」アイコンを押下することにより、選択されたサムネールに対応する画像ファイルが画像グループとして認識される。
【００９４】
続いて、「分類」アイコンが押下されると、図１１（ｃ）に示す表示画面が表示される。ユーザは、この画面において、画像グループに対応するグループ化アイコンを選択して、グループ化アイコンの設定を行う。なお、不図示ではあるが、この画面において、ユーザは、画像グループの名称となるアルバム名を入力し、設定されたグループ化アイコン、アルバム名が対応付けられて、画像ファイルのグループ化が行われる。
【００９５】
続いて、グループシェアの指示が入力されると、図１１（ｄ）に示すように、画像グループのグループアイコンが一覧表示される。ユーザは、この画面において、所望の画像グループに対応するアイコンを選択すると共に、「シェア先リスト」アイコンを押下して、シェア先を一覧表示させ（不図示）、シェア先を指定する。そして、「シェア」アイコンを押下することにより、グループシェアデータファイル１７２が作成され、グループ化された画像ファイルと、グループシェアデータファイル１７２とが、記録メディアに記録される。
【００９６】
以上のように本第２の実施の形態によれば、画像記録装置１の記憶部１７に記録されている画像ファイルをグループ化し、グループ化された画像ファイルを外部機器２とシェアする場合、シェア元、シェア先、及びグループ化された画像ファイルに関する情報を記録するグループシェアデータファイル１７２を作成して、シェアする画像ファイルとともに記録媒体３に記録する。そして、シェア先である外部機器２において、記録媒体３からグループ化された画像ファイル及びグループシェアデータファイル１７２を読み出して、グループシェアデータファイルに基づいたデータ構成により、グループ化された画像ファイルを記録装置２７に記録させる。そして、記録装置２７に記録された画像ファイルのアドレス情報を更新して、グループシェアデータファイル１７３を作成し、画像ファイルと共に記録装置２７に記録する。
【００９７】
したがって、画像記録装置１において、グループ化された画像ファイルを他の記録装置とシェアする際に、シェア用データを作成する必要がなく、直接記録媒体３に画像ファイルの記録を行うことができるため、メモリ容量を節約することができる。
【００９８】
また、画像録装置１に記憶部１７に記録されているデータ構成を示すグループシェアデータファイル１７２を作成して、画像ファイルと共に記録することにより、シェア先において、シェア元のデータ構成を再現して、画像ファイルの記録を行うことができるため、シェア元とシェア先で、データの整合性を容易にとることができる。
【００９９】
さらに、シェア先において画像ファイルが記録された後、グループシェアデータファイル１７２のアドレス情報を新たに記録されたアドレスに編集して、グループシェアデータファイル１７３を記録するため、例えば、外部機器２に記録された後に画像ファイルが編集され、データ構成が変更された場合でも、グループシェアデータファイル１７３に基づいて、シェア元のデータ構成に編集しなおすことができるため、シェア元とのデータの整合性を容易にとることができる。
【０１００】
なお、上述した本第２の実施の形態における記述は、本発明に係る好適な画像記録装置１の一例であり、これに限定されるものではない。
例えば、本第２の実施の形態においては、記録媒体３を介して、画像記録装置１と、外部機器２との間でグループ化された画像ファイルのシェアを行う構成としたが、ネットワークＮを介して、グループ化された画像ファイル及びグループシェアデータファイル１７２が転送される構成であってもよい。
【０１０１】
この場合、例えば、グループシェア指示が入力された際に、ネットワークＮを介して画像ファイルのシェアを行うか否かの確認が行われ、ネットワークＮを介して、画像ファイルのシェアを行う場合、外部機器２のＥ−ｍａｉｌアドレスが設定される。そして、Ｅ−ｍａｉｌ添付用の画像ファイル及びグループシェアデータファイル１７２が作成されて、Ｅ−ｍａｉｌに添付され、外部機器２に送信される。なお、画像記録装置１において作成されたＥ−ｍａｉｌ添付用のデータは、Ｅ−ｍａｉｌ転送後、グループシェアデータファイル１７２を除いて消去される。なお、グループシェアデータファイル１７２は、記録装置２７に記録される。一方、Ｅ−ｍａｉｌを受信した外部機器２は、新規フォルダを作成し、グループシェアデータファイル１７２に基づいて、画像ファイルを所定のデータ構成により新規フォルダに記録する。
【０１０２】
これにより、記録媒体３を介さずに、ネットワークＮを介して容易かつ迅速に画像記録装置１と、外部機器２との間で画像ファイルのシェアを行うことができる。また、転送後、グループシェアデータファイル１７２を残して、他のデータを消去することにより、不必要なデータが蓄積されることを防いで、画像記録装置１のリソースを有効に利用することができる。
【０１０３】
また、本第２の実施の形態においては、画像ファイルをグループ化した後、画像グループとしてグループシェアを行う構成として説明を行ったが、予めグループ化された画像ファイルを画像グループとしてグループシェアする構成であっても良い。
【０１０４】
その他、本実施の形態における画像記録装置１の構成部分の細部構成、及び細部動作に関しても、本発明の趣旨を逸脱することのない範囲で適宜変更可能であることは勿論である。
【０１０５】
【発明の効果】
請求項１記載の発明によれば、第１の記録手段から第２の記録手段に画像データを記録させる指示を入力するだけで、画像データに対応付けて記録されている画像データに関する情報が、第２の記録手段に記録されるため、煩雑な操作を必要とせずに、画像データ及び画像データに関する情報を第２の記録手段に記録させることができる。また、第１の記録手段と、第２の記録手段に記録される画像データ及び画像データに関する情報の整合性を容易にとることができる。
【０１０６】
請求項２記載の発明によれば、請求項１記載の発明の効果に加えて、入力された記録の指示が移動の指示であった場合、第１の記録手段に記録されている画像データ及び画像データに関する情報は，自動で消去されるため、不要なデータを残すことなく記録手段の記録容量を有効に利用することができる。
【０１０７】
請求項３記載の発明によれば、請求項１記載の発明の効果に加えて、入力された記録の指示がコピーの指示であった場合、第１の記録手段に記録されている画像データ及び画像データに関する情報は消去されないため、重要なデータは、第１の記録手段と、第２の記録手段とに記録させておくことができる。
【０１０８】
請求項４記載の発明によれば、請求項１から３のいずれかに記載の発明の効果に加えて、容易な入力操作により、入力指示を行うことができ、操作性を向上させることができる。
【０１０９】
請求項５記載の発明によれば、請求項１記載の発明の効果に加えて、画像データに関する種々の情報を画像データとともに、第２の記録手段に記録させることができ、複数の画像データに関する情報が画像データに対応付けられている場合でも、情報の欠落を防いで、正確な情報を記録するができる。
【０１１０】
請求項６記載の発明によれば、請求項１又は５記載の発明の効果に加えて、第１の記録手段から第２の記録手段に記録させることにより、情報の内容が変更される場合であっても、変更される内容をユーザに入力させ、入力された内容に基づいて、情報の編集を行うので、画像データに関する情報の信頼性を向上させることができると共に、情報の管理を容易に行うことができる。
【０１１１】
請求項７記載の発明によれば、請求項６記載の発明の効果に加えて、第２の記録手段に記録されることにより、ユーザ情報が変更される場合、ユーザ名を入力させて、正確なユーザ情報を記録することができる。
【０１１２】
請求項８記載の発明によれば、請求項１から７のいずれかに記載の発明の効果に加えて、ユーザは、第１の記録手段に記録されている画像データと、第２の記録手段に記録させる画像データとを、目視にて容易に認識することができる。これにより、ミスを防いで、作業効率を向上させることができる。
【０１１３】
請求項９記載の発明によれば、請求項１から８のいずれかに記載の発明の効果に加えて、第２の記録手段の記録容量が、データ総量より少ない場合、警告を出力して、ユーザに報知することができる。これにより、速やかにトラブルに対処して、作業効率を向上させることができる。
【０１１４】
請求項１０記載の発明によれば、請求項１記載の発明の効果に加えて、第１の記録手段に記録される画像データをグループ化して、生成した画像グループ単位で、第２の記録手段に画像データを記録させることができる。すなわち、煩雑な操作を必要とせずに、所望の画像データをまとめて第２の記録手段に記録させることができるため、利便性が良い。
【０１１５】
請求項１１または１２記載の発明によれば、請求項１０記載の発明の効果に加えて、例えば、記録メディアを介して、第１の記録手段に記録される画像データを、第３の記録手段に記録させることができ、画像データを広い範囲にて利用することができる。また、画像データを画像グループに関する情報に基づいて第３の記録手段に記録することにより、第１の記録手段に記録されている画像グループと同様のデータ構成により、画像データを記録することができ、複数の記録手段において、画像データの整合性を容易にとることができる。
【０１１６】
請求項１３または１４記載の発明によれば、請求項１０記載の発明の効果に加えて、ネットワークを介して接続される第２の記録手段に、第１の記録手段に記録される画像データを記録させることができ、画像データをさらに広い範囲にて利用することができ、利便性が向上する。また、画像データを画像グループに関する情報に基づいて第２の記録手段に記録することにより、第１の記録手段に記録されている画像グループと同様のデータ構成により、画像データを記録することができ、複数の記録手段において、画像データの整合性を容易にとることができる。
【図面の簡単な説明】
【図１】本発明を適用した第１の実施の形態における画像記録システム１００のシステム構成を示す概念図である。
【図２】図１に示す画像記録装置１の要部構成を示すブロック図である。
【図３】図２の記憶部１７に記録される画像ファイル管理テーブル１７１のデータ構成例を示す図である。
【図４】図２のＣＰＵ１１により実行される画像ファイルシェア処理を示すフローチャートである。
【図５】画像ファイルシェア処理において表示部１２に表示される表示画面例を示す図である。
【図６】グループシェアデータファイル１７２のデータ構成例を示す図である。
【図７】グループシェアデータファイル１７３のデータ構成例を示す図である。
【図８】記録装置２７に記録される画像ファイルのデータ構成例を示す図である。
【図９】画像記録装置１のＣＰＵ１１により実行される画像グループシェア処理を示すフローチャートである。
【図１０】外部機器２のＣＰＵ２１により実行されるグループシェア記録処理を示すフローチャートである。
【図１１】図９の画像グループシェア処理において表示部１２に表示される表示画面例を示す図である。
【符号の説明】
１　　画像記録装置
１１　　ＣＰＵ
１２　　表示部
１３　　入力部
１４　　通信部
１５　　ＲＡＭ
１６　　Ｉ／Ｆ部
１７　　記憶部
２　　外部機器
３　　記憶媒体
Ｎ　　ネットワーク
【図１】
2004015308.tif 000003
【図２】
2004015308.tif 000004
【図３】
2004015308.tif 000005
【図４】
2004015308.tif 000006
【図５】
2004015308.tif 000007
【図６】
2004015308.tif 000008
【図７】
2004015308.tif 000009
【図８】
2004015308.tif 000010
【図９】
2004015308.tif 000011
【図１０】
2004015308.tif 000012
【図１１】
2004015308.tif 000013